(57)【要約】      （修正有）【課題】両手の親指だけでアルファベット全てのキーの位置が分かるようにした携帯電話機などの小型のフルキーボードの構造を提供する。【解決手段】携帯電話機やその他の小型のフルキーボードに、日本語や英語を入力しやすく考慮した幾つかのキーを、主となるキーとして、指で触って認識できる程度の突起を付け、それを規則正しく配置するのではなく、ランダムかつ個数、形状を変化させ主となるキーのかたまりを特徴のあるものにし、指で触っただけで、どの主となるキーなのか分かる構造にする。主となるキーを触って、そこからさまざまな方向へ指をずらすという作業で、全てのアルファベットのキーの位置が、両手の親指だけで認識できるようにした。小型なキーボードでは不可能とされていたタッチタイピングを可能とした。【選択図】図４
0003170502.tif 000002
【実用新案登録請求の範囲】
【請求項１】
携帯電話機やその他の小型のキーボードに、幾つかのキーを主となるキーとし、触れて分かる突起をつけること。
シール等で突起を付けることもこの範囲とする。
【請求項２】
触れて分かる突起をつけた主となるキーの位置は規則正しい配置ではなく、位置をランダムにし、個数や形状を変えて主となるキーのかたまりに特徴を出し、それぞれの主となるキーがどこにあるか、指で触っただけで分かるようにすること。
【請求項３】
キーボードの下の列の両端は、主となるキーとし、突起を付け、指でキーボードの端が認識できるようにすること。
【請求項４】
日本語、英語共に打ちやすいように考慮した、本考案の触れてわかる突起をつけた、主となるキーの配置。
【考案の詳細な説明】
【技術分野】
【０００１】  本考案は、両手の親指だけでアルファベット全てのキーの位置が分かるようにした、携帯電話機などの小型のフルキーボードの構造に関するものである。
【背景技術】
【０００２】  携帯電話機に付いている小型のフルキーボードや、外部機器の接続できる小型キーボードはキーが小さいため、パソコンのキーボードの様な両手の全部の指を使ったタッチタイピングは出来ず、ひとつひとつキーを目で確認しながら打っていた。
また、外部機器の接続式のキーボードで、折りたたみ式などの大きなキーボードは、タッチタイピングはできるが、荷物になってしまっている。
【考案の概要】
【考案が解決しようとする課題】
【０００３】  携帯電話機等の小型のフルキーボードはキーが小さいため、パソコンの様な全ての指を使ったタッチタイピングによる入力が難しい。しかし、その小さなキーボードを大きくするのではなく、キーボードの構造に工夫を加え、両手の親指だけで、タッチタイピング出来るように改善するものである。
【課題を解決するための手段】
【０００４】  携帯電話機等の小型のキーボードに、日本語や英語を入力しやすい様に考慮した、いくつかのキーに、指で触ってわかる突起をつけ、主となるキーとする。目で確認せず、指の感覚だけで、その主となるキーの位置から他の全てのアルファベットのキーの位置がわかるようにする。
【考案の効果】
【０００５】  上述のように、両手の全部の指によるタッチタイピングは不可能であるが、両手の親指だけで、アルファベット全てのキーの位置を認識できるようになり、タッチタイピングが可能になる。
【図面の簡単な説明】
【０００６】
【図１】携帯電話機のキーボードを例とした主となるキーの配置図である。
【図２】主となるキーの断面形状図である。主となるキーは他のキーより真ん中を盛り上げる構造にする。シールなどで突起を付けることも可とする。
【図３】本考案の主となるキーの配置の特徴を表した図である。
【図４】使用時のイメージ図である。
【図５】入力に慣れてきた時のイメージ図である。
【考案を実施するための形態】
【０００７】  図３のように、主となるキーの配置は不規則にし、４〜８のような形状や個数の違うかたまりを作る。そうすることにより、目で探さなくても、指で触って主となるキーのかたまりの位置が認識出来ようになる。左の親指は左端にある４のＡキーを軸とし、右の親指は７の縦に三個並んだＩ、Ｋ、カンマキーを軸として、指を滑らせながら他の主となるキーや、その他全てのアルファベットのキーの位置を認識することができる。ま８の主となるキーは端認識キーであり、キーボードの端が目ではなく指で確認することができるようになっている。
【実施例１】
【０００８】  図４に示すように、９のＵキーを打つ時は、前項であげた右の親指の主となるキーのかたまりである三個並んだＩ、Ｋ、カンマキーの一番上の１０のＩキーから指を滑らせて、隣のキーである、９のＵキーを押す。
１１のＹキーを押す時は、１０のＩキーから左に親指を滑らせて、指が当たったところがＹキーと認識し、Ｙキーを押す。
１４のＴキーや、Ｒキーを打つ時は、左手の親指の軸となる１２のＡキーから、右上に滑らせて、最初に当たった主キーが１３のＥキーだと認識し、さらに右に指を滑らせて、指が当たったところがＴキーだと認識できるので、そのままＴキーを押す。
ＹキーはＴキーの手前のキーだと認識できるので、Ｔキーの手前のＹキーを押す。
入力に慣れてくると、図５のように一度に３つのキーが認識できるようになる。
【産業上の利用可能性】
【０００９】  今まで携帯電話機等の小型のフルキーボードでのタッチタイピングは難しいといわれてきたことが可能になる。
日本語だけではく、英語を打つことも考慮しているので世界標準として使える。
【符号の説明】
【００１０】１    携帯電話機本体
２    小型フルキーボード
３    端認識キー
４    左手の親指の軸キー
５    主となるキーのかたまり
６    主となるキーのかたまり
７    右手の親指の軸キー
８    端認識キー
９    Ｕキー
１０  Ｉキー
１１  Ｙキー
１２  Ａキー
１３  Ｅキー
１４  Ｒキー、Ｔキー
【図１】
0003170502.tif 000003
【図２】
0003170502.tif 000004
【図３】
0003170502.tif 000005
【図４】
0003170502.tif 000006
【図５】
0003170502.tif 000007
【手続補正書】
【提出日】平成23年6月29日(2011.6.29)
【手続補正１】
【補正対象書類名】実用新案登録請求の範囲
【補正対象項目名】全文
【補正方法】変更
【補正の内容】
【実用新案登録請求の範囲】
【請求項１】
携帯電話機やその他の小型のキーボードにおいて、Ａ、Ｅ、Ｄ、Ｘ、Ｃ、Ｔ、Ｙ、Ｈ、Ｎ、Ｉ、Ｋ、Ｐのキーおよび「、」のキーと、キーボードの下の列の両端のキーを、主となるキーとし、その主となるキーを、キー自体を指で触れて分かる突起がある構造にする、もしくは、シールをキーに貼り、指で触れてわかる突起をつけるなどして、主となるキーは突起があるキーで、その他はその他のキーということが、指で触っただけで判別ができる様にし、指で触れて分かる突起の付いた主となるキーから、他のキーへ指をずらすなどをして、キーボードを目で確認することなく、両手の親指だけでキーボードの全てのキーをタッチタイピングできるようにしたキーボード構造。
【請求項２】
主となるキーとして指で触れて分かる突起をつけたキーの配置は、規則正しい配置ではなく、位置をランダムにし、個数や形状を変えて、主となるキーのかたまりに特徴をだし、それぞれの主となるキーのかたまりが、指で触っただけでどこにあるか分かる配置を特徴とする請求項１記載のキーボード構造。
【請求項３】
キーボードの下の列の両端は、主となるキーとし、触れて分かる突起をつけ、目で確認することなく、指で触っただけで、キーボードの端が認識できるという特徴をもった請求項１記載のキーボード構造。